(57)【要約】【課題】  画像形成装置本体やこの画像形成装置本体が載置される基台部から延出された位置決めピンを、画像形成装置本体や基台部に設けられた位置決め穴に挿入させて、画像形成装置本体を基台部上の適切な位置に装着させる作業が簡単に行えるようにする。【解決手段】  画像形成装置本体10及び／又はこの画像形成装置本体が載置される基台部20から延出された位置決めピン30を、画像形成装置本体及び／又は基台部に設けられた位置決め穴40に挿入させて、画像形成装置本体を基台部の上に装着させるようにした画像形成装置において、画像形成装置本体から下方に延出された少なくとも一部の位置決めピンを、先端部に揺動可能なガイド部31が設けられたガイド付き位置決めピン30Aで構成した。【選択図】  図５
2010175926.tif 000002
【特許請求の範囲】
【請求項１】
画像形成装置本体及び／又はこの画像形成装置本体が載置される基台部から延出された位置決めピンを、この位置決めピンに対応して画像形成装置本体及び／又は上記の基台部に設けられた位置決め穴に挿入させて、画像形成装置本体を基台部の上に装着させるようにした画像形成装置において、画像形成装置本体から下方に延出された少なくとも一部の位置決めピンが、先端部に揺動可能なガイド部が設けられたガイド付き位置決めピンで構成されていることを特徴とする画像形成装置。
【請求項２】
請求項１に記載の画像形成装置において、上記のガイド付き位置決めピンの延出長さが、ガイド部が設けられていないガイド無し位置決めピンの延出長さより長くなっていることを特徴とする画像形成装置。
【請求項３】
請求項１又は請求項２に記載の画像形成装置において、上記のガイド付き位置決めピンにおけるガイド部の少なくとも先端部が磁性材料で構成されると共に、このガイド付き位置決めピンを挿入させる基台部に設けられた位置決め穴の上縁部に磁石材料が設けられていることを特徴とする画像形成装置。
【請求項４】
請求項１〜請求項３の何れか１項に記載の画像形成装置において、ガイド付き位置決めピンを挿入させる基台部に設けられた位置決め穴の上縁部が上方に向かって広がったテーパー状に形成されていることを特徴とする画像形成装置。
【請求項５】
請求項１〜請求項４の何れか１項に記載の画像形成装置において、各位置決めピンが画像形成装置本体から下方に延出して設けられると共に、各位置決めピンを挿入させる各位置決め穴が基台部に設けられていることを特徴とする画像形成装置。
【請求項６】
請求項１〜請求項５の何れか１項に記載の画像形成装置において、上記の基台部が載置台又は給紙キャビネットであることを特徴とする画像形成装置。
【発明の詳細な説明】
【技術分野】
【０００１】
本発明は、複写機、プリンタ、ファクシミリ及びこれらの複合機などの画像形成装置に係り、特に、画像形成装置本体を載置台や給紙キャビネットからなる基台部の上に装着させるにあたり、上記の画像形成装置本体及び／又は基台部から延出された位置決めピンを、この位置決めピンに対応して画像形成装置本体及び／又は基台部に設けられた位置決め穴に挿入させて、画像形成装置本体を基台部の適切な位置に装着させる作業が簡単に行えるようにした点に特徴を有するものである。
【背景技術】
【０００２】
複写機、プリンタ、ファクシミリ及びこれらの複合機などの画像形成装置においては、画像形成装置本体を載置台や給紙キャビネットからなる基台部の上に装着させて使用するようにしたものが存在する。
【０００３】
ここで、このように画像形成装置本体を上記の基台部の上に装着させるにあたり、従来においては、一般に、画像形成装置本体や基台部から位置決めピンを延出させると共に、この位置決めピンに対応させて画像形成装置本体や基台部に位置決め穴を設け、画像形成装置本体を持ち上げた状態で、上記の位置決めピンと位置決め穴とを位置合わせして、位置決めピンを位置決め穴に挿入させ、画像形成装置本体を基台部上の適切な位置に装着させることが行われている。
【０００４】
しかし、このように画像形成装置本体を持ち上げた状態では、上記の位置決めピンや位置決め穴の位置を確認することが困難であるため、位置決めピンと位置決め穴とを位置合わせして、位置決めピンを位置決め穴に挿入させる作業が非常に面倒で、画像形成装置本体を基台部の適切な位置に装着させるのに時間を要すると共に、画像形成装置本体が基台部の適切な位置に装着されずに、位置決めピンが破損したりする等の問題があった。
【０００５】
そして、従来においては、特許文献１に示されるように、画像形成装置本体や基台部に収容可能に設けられた位置決めピンをバネ等の弾性手段により付勢させて、位置決めピンが突出入できるようにし、画像形成装置本体を基台部の上に載置させた状態で、この画像形成装置本体を移動させ、上記の位置決めピンと位置決め穴とが適合した位置において、上記の位置決めピンが上記の弾性手段により付勢されて位置決め穴に挿入されるようにしたものが提案されている。
【０００６】
しかし、上記のように画像形成装置本体を基台部の上に載置させた状態で、この画像形成装置本体を移動させるにあたり、画像形成装置本体や基台部の面に様々な部品が設けられて凹凸が存在すると、これらの部品が邪魔になって画像形成装置本体をうまく移動させることができず、また画像形成装置本体を移動させる際に、これらの部品が破損する等の問題があった。
【先行技術文献】
【特許文献】
【０００７】
【特許文献１】特開平８−２６２８２５号公報
【発明の開示】
【発明が解決しようとする課題】
【０００８】
本発明は、画像形成装置本体を載置台や給紙キャビネットからなる基台部の上に装着させるようにした画像形成装置における上記のような問題を解決することを課題とするものである。
【０００９】
すなわち、本発明は、上記の画像形成装置において、画像形成装置本体及び／又は基台部から延出された位置決めピンを、この位置決めピンに対応して画像形成装置本体及び／又は基台部に設けられた位置決め穴に挿入させて、画像形成装置本体を基台部の適切な位置に装着させる作業が簡単に行えるようにすることを課題とするものである。
【課題を解決するための手段】
【００１０】
本発明においては、上記のような課題を解決するため、画像形成装置本体及び／又はこの画像形成装置本体が載置される基台部から延出された位置決めピンを、この位置決めピンに対応して画像形成装置本体及び／又は上記の基台部に設けられた位置決め穴に挿入させて、画像形成装置本体を基台部の上に装着させるようにした画像形成装置において、画像形成装置本体から下方に延出された少なくとも一部の位置決めピンを、先端部に揺動可能なガイド部が設けられたガイド付き位置決めピンで構成するようにした。
【００１１】
ここで、画像形成装置本体から下方に延出された一部の位置決めピンを、先端部に揺動可能なガイド部が設けられたガイド付き位置決めピンで構成する場合、このガイド付き位置決めピンの延出長さを、ガイド部が設けられていないガイド無し位置決めピンの延出長さより長くすることが好ましい。なお、画像形成装置本体から下方に延出された全ての位置決めピンを、上記のガイド付き位置決めピンで構成することも可能であり、この場合には、ガイド付き位置決めピンの延出長さを異ならせたり、同じにしたりすることができる。
【００１２】
また、本発明の画像形成装置において、上記のガイド付き位置決めピンが、対応する位置決め穴の位置に適切に導かれて、この位置決め穴内に適切に挿入されるようにするためには、上記のガイド付き位置決めピンにおけるガイド部の少なくとも先端部を磁性材料で構成すると共に、このガイド付き位置決めピンが挿入される基台部に設けられた位置決め穴の上縁部に磁石材料を設けるようにしたり、ガイド付き位置決めピンが挿入される基台部に設けられた位置決め穴の上縁部を上方に向かって広がったテーパー状に形成したりすることが好ましい。
【発明の効果】
【００１３】
本発明における画像形成装置においては、画像形成装置本体から下方に延出された少なくとも一部の位置決めピンを、先端部に揺動可能なガイド部が設けられたガイド付き位置決めピンで構成したため、この画像形成装置本体を持ち上げて、このガイド付き位置決めピンを基台部に設けられた対応する位置決め穴に位置合わせする際に、このガイド付き位置決めピンと位置決め穴との位置が少しずれた状態であっても、このガイド付き位置決めピンの先端部におけるガイド部が揺動して上記の位置決め穴に導かれるようになる。
【００１４】
そして、このように位置決め穴に導かれたガイド部によりガイド付き位置決めピンが規制されて、このガイド付き位置決めピンが対応する位置決め穴に適切に導かれるようになり、画像形成装置本体を基台部上の適切な位置に装着させる作業が簡単に行えるようになる。
【００１５】
また、上記の画像形成装置において、上記のガイド付き位置決めピンの他に、ガイド部が設けられていないガイド無し位置決めピンを設けた場合において、ガイド付き位置決めピンの延出長さを、ガイド無し位置決めピンの延出長さより長くすると、ガイド無し位置決めピンよりも先に、上記のガイド付き位置決めピンが対応する位置決め穴に適切に導かれるようになり、このように対応する位置決め穴に導かれたガイド付き位置決めピンにより、ガイド無し位置決めピンが適切な位置に案内されて、対応する位置決め穴に適切に挿入されるようになる。
【００１６】
また、上記のガイド付き位置決めピンにおけるガイド部の少なくとも先端部を磁性材料で構成すると共に、このガイド付き位置決めピンが挿入される基台部に設けられた位置決め穴の上縁部に磁石材料を設けると、この位置決め穴の上縁に設けられた磁石材料の磁力により、上記のガイド付き位置決めピンにおけるガイド部が位置決め穴の部分に引き付けられ、画像形成装置本体を持ち上げた状態で、このガイド付き位置決めピンを対応する位置決め穴に位置合わせする作業がより簡単に行えるようになる。
【００１７】
また、ガイド付き位置決めピンが挿入される基台部に設けられた位置決め穴の上縁部を上方に向かって広がったテーパー状に形成すると、ガイド付き位置決めピンの先端部におけるガイド部が揺動してより適切に位置決め穴に導かれるようになる。
【００１８】
この結果、本発明の画像形成装置においては、画像形成装置本体及び／又は基台部から延出された位置決めピンを、この位置決めピンに対応して画像形成装置本体及び／又は基台部に設けられた位置決め穴に挿入させて、画像形成装置本体を基台部上の適切な位置に装着させる作業が簡単に行えるようになる。
【図面の簡単な説明】
【００１９】
【図１】本発明の一実施形態に係る画像形成装置を示した概略説明図である。
【図２】上記の実施形態の画像形成装置において、画像形成装置本体の底部における複数の穴部内に、それぞれ位置決めピンを係止部材により係止させて収容させた状態を示した概略説明図である。
【図３】上記の実施形態の画像形成装置において、基台部となる最下段の給紙キャビネットに各位置決めピンが挿入される各位置決め穴を設けた状態を示した概略説明図である。
【図４】上記の実施形態の画像形成装置において、画像形成装置本体に設けるガイド付き位置決めピンを示した概略説明図である。
【図５】上記の実施形態の画像形成装置において、画像形成装置本体に設けられた各位置決めピンを画像形成装置本体の底部から下方に延出させた状態で、この画像形成装置本体を給紙キャビネットの上に導いた状態を示した概略説明図である。
【図６】上記の実施形態の画像形成装置において、画像形成装置本体に設けられたガイド付き位置決めピンが給紙キャビネットの対応した位置決め穴の内部にある程度の深さまで導かれて、給紙キャビネットに対する画像形成装置本体の位置が適切な位置に設定される状態を示した概略説明図である。
【図７】上記の実施形態の画像形成装置において、画像形成装置本体に設けられた各位置決めピンが、給紙キャビネットの対応した各位置決め穴に挿入されて、画像形成装置本体が給紙キャビネット上の所定位置に装着された状態を示した概略説明図である。
【図８】上記の実施形態の画像形成装置において、画像形成装置本体に設けられた各位置決めピンが、ガイド付き位置決めピンだけで構成されている変更例を示した概略説明図である。
【図９】上記の実施形態の画像形成装置において、画像形成装置本体からガイド付き位置決めピンだけを下方に延出させる一方、給紙キャビネットの上面からガイド無し位置決めピンを上方に延出させるようにした変更例を示した概略説明図である。
【発明を実施するための最良の形態】
【００２０】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２１】
この実施形態に係る画像形成装置においては、図１に示すように、画像形成装置本体１０と、基台部となる最下段の給紙キャビネット２０とが分離可能に設けられており、上記の給紙キャビネット２０上の所定の位置に画像形成装置本体１０を装着させるようにしている。
【００２２】
また、この実施形態に係る画像形成装置においては、図２に示すように、上記の画像形成装置本体１０の底部における複数の穴部１１内に、それぞれ位置決めピン３０を係止部材１２により係止させた状態で収容させる一方、図３に示すように、上記の給紙キャビネット２０の上面において、上記の各位置決めピン３０が挿入される各位置決め穴４０を、各位置決めピン３０に対応した位置に設けている。
【００２３】
そして、この実施形態に係る画像形成装置においては、上記の画像形成装置本体１０に設ける位置決めピン３０として、先端部に揺動可能なガイド部３１が設けられたガイド付き位置決めピン３０Ａと、ガイド部３１が設けられていないガイド無し位置決めピン３０Ｂとを用い、上記のガイド付き位置決めピン３０Ａの長さをガイド無し位置決めピン３０Ｂよりも長くし、これらの位置決めピン３０Ａ，３０Ｂを画像形成装置本体１０から下方に延出させた場合に、上記のガイド付き位置決めピン３０Ａが、ガイド無し位置決めピン３０Ｂよりも下方に長く延出されるようにしている。
【００２４】
ここで、この実施形態においては、図４（Ａ），（Ｂ）に示すように、上記のガイド付き位置決めピン３０Ａにおけるガイド部３１として、画像形成装置本体１０に保持されるシャフト部３２の先端部に、第１ネジ３１ａにより回動可能に取り付けられる第１ガイド部３１ｂと、この第１ガイド部３１ｂの先端部に、第２ネジ３１ｃにより回動可能に取り付けられる第２ガイド部３１ｄとを設け、この第１ガイド部３１ｂと第２ガイド部３１ｄとが上記の第１ネジ３１ａと第２ネジ３１ｃとを支点として回動することにより、ガイド部３１が平面上のｘ，ｙ方向に揺動できるようにすると共に、少なくとも上記の第２ガイド部３１ｄの先端部分を磁性材料で構成している。なお、ガイド付き位置決めピン３０Ａの先端部に揺動可能に設けるガイド部３１はこのようなものに限られない。例えば、上記のシャフト部３２の先端部に、ユニバーサルジョイント（図示せず）を介してガイド部３１を設けるようにすることも可能である。
【００２５】
一方、給紙キャビネット２０の上面において、上記のガイド付き位置決めピン３０Ａが挿入される位置決め穴４０においては、図３に示すように、その上縁部を上方に向かって広がったテーパー状に形成すると共に、この上縁部に磁石材料４１を設けている。なお、ガイド無し位置決めピン３０Ｂについても、その先端部分を磁性材料で構成すると共に、このガイド無し位置決めピン３０Ｂを挿入させる位置決め穴４０についても、その上縁部を上方に向かって広がったテーパー状に形成し、この上縁部に磁石材料４１を設けるようにすることもできる。
【００２６】
ここで、この実施形態に係る画像形成装置において、上記の画像形成装置本体１０を基台部となる最下段の給紙キャビネット２０に装着させるにあたっては、図５に示すように、画像形成装置本体１０において各位置決めピン３０を穴部３１内に収容させた状態で係止させていた係止部材１２による係止を解除させて、各位置決めピン３０Ａ，３０Ｂを画像形成装置本体１０の底部から下方に延出させる。
【００２７】
そして、このように各位置決めピン３０Ａ，３０Ｂを画像形成装置本体１０の底部から下方に延出させ次いで状態で、この画像形成装置本体１０を持ち上げて上記の給紙キャビネット２０の上に導き、各位置決めピン３０Ａ，３０Ｂを給紙キャビネット２０の上面に設けられた対応する各位置決め穴４０に導くようにする。
【００２８】
このようにすると、同図に示すように、上記の画像形成装置本体１０において、ガイド部３１が設けられたガイド付き位置決めピン３０Ａが、ガイド無し位置決めピン３０Ｂより下方に延出され、このガイド付き位置決めピン３０Ａにおけるガイド部３１が給紙キャビネット２０の上面において前記のように揺動して、磁性材料で構成された上記の第２ガイド部３１ｄの先端部分が、このガイド付き位置決めピン３０Ａに対応した位置決め穴４０の上縁部に設けられた磁石材料４１の磁力によって引き付けられると共に、この位置決め穴４０の上縁部におけるテーパーに沿って位置決め穴４０の内部に導かれるようになる。
【００２９】
そして、このようにガイド付き位置決めピン３０Ａが対応した位置決め穴４０の内部にある程度の深さまで導かれると、図６に示すように、この位置決め穴４０により上記のガイド部３１が規制されて、このガイド付き位置決めピン３０Ａが位置決め穴４０に対して真直ぐな状態になり、画像形成装置本体１０が給紙キャビネット２０に対して適切な位置の上方に導かれて、上記のガイド無し位置決めピン３０Ｂが給紙キャビネット２０の上面に設けられた対応する位置決め穴４０の位置に適切に導かれるようになる。
【００３０】
この状態で、上記の画像形成装置本体１０を下降させると、図７に示すように、画像形成装置本体１０から下方に延出された各位置決めピン３０Ａ，３０Ｂが、それぞれ給紙キャビネット２０の上面に設けられた対応する各位置決め穴４０に挿入されて、画像形成装置本体１０が給紙キャビネット２０上の所定位置に導かれ、画像形成装置本体１０を給紙キャビネット２０上の所定位置に装着させる作業が簡単且つ適切に行えるようになる。
【００３１】
なお、この実施形態の画像形成装置においては、画像形成装置本体１０から下方に延出させる位置決めピン３０として、ガイド付き位置決めピン３０Ａとガイド無し位置決めピン３０Ｂとを用いるようにしたが、画像形成装置本体１０から下方に延出させる位置決めピン３０として、図８に示すように、ガイド付き位置決めピン３０Ａだけを用いるようにすることも可能であり、この場合、各ガイド付き位置決めピン３０Ａを画像形成装置本体１０から下方に延出させる長さは同じであっても異なっていてもよい。
【００３２】
また、この実施形態の画像形成装置においては、画像形成装置本体１０からガイド付き位置決めピン３０Ａとガイド無し位置決めピン３０Ｂとを下方に延出させるようにしたが、図９に示すように、画像形成装置本体１０からガイド付き位置決めピン３０Ａだけを下方に延出させるようにし、上記の給紙キャビネット２０の上面からガイド無し位置決めピン３０Ｂを上方に延出させ、このガイド無し位置決めピン３０Ｂと対応する位置決め穴４０を上記の画像形成装置本体１０の底部に設けるようにすることも可能である。なお、この場合、給紙キャビネット２０の上面から上方に延出させるガイド無し位置決めピン３０Ｂの長さを、画像形成装置本体１０から下方に延出させるガイド付き位置決めピン３０Ａの長さより短くすることが好ましい。
【符号の説明】
【００３３】
１０  画像形成装置本体
１１  穴部
１２  係止部材
２０  給紙キャビネット（基台部）
３０  位置決めピン
３０Ａ  ガイド付き位置決めピン
３０Ｂ  ガイド無し位置決めピン
３１  ガイド部
３１ａ  第１ネジ
３１ｂ  第１ガイド部
３１ｃ  第２ネジ
３１ｄ  第２ガイド部
３２  シャフト部
４０  位置決め穴
４１  磁石材料
【図１】
2010175926.tif 000003
【図２】
2010175926.tif 000004
【図３】
2010175926.tif 000005
【図４】
2010175926.tif 000006
【図５】
2010175926.tif 000007
【図６】
2010175926.tif 000008
【図７】
2010175926.tif 000009
【図８】
2010175926.tif 000010
【図９】
2010175926.tif 000011